(57)【要約】【課題】上衣に不要な皺を発生させることなく、上衣の印象を変化させずに上衣を支持する。【解決手段】上衣の内側に配置されてこの上衣を広げた状態で支持する上衣支持体１は、上衣の左右の肩部をそれぞれ支持する肩支持部１１と、左右の肩支持部１１の下方において左右の肩支持部１１同士を連結するように左右方向に延在する面状の胸部１２と、を備える。各肩支持部１１は、上衣の袖山の内側に位置するとともに厚みが最大に形成された頂部１１ａを有する。【選択図】図３
2020168198.tif 000002
【特許請求の範囲】
【請求項１】
上衣の内側に配置されて前記上衣を広げた状態で支持する上衣支持体であって、
前記上衣の左右の肩部をそれぞれ支持する肩支持部と、
左右の前記肩支持部の下方において前記左右の肩支持部同士を連結するように左右方向に延在する面状の胸部と、を備え、
各々の前記肩支持部は、前記上衣の袖山の内側に位置するとともに厚みが最大に形成された頂部を有する
ことを特徴とする、上衣支持体。
【請求項２】
前記胸部は、少なくとも左右方向の中央部の厚みが一定であるとともに前記中央部から左右の脇腹部に向かって厚みが増えるように形成され、
前記各肩支持部及び前記胸部は、前記頂部に向かって厚みが徐々に増えるように形成されている
ことを特徴とする、請求項１記載の上衣支持体。
【請求項３】
前記左右の肩支持部の間において前記胸部に向かって凹設された凹部を備え、
前記肩支持部の上面と前記凹部の内面とで形成される角部が鋭角である
ことを特徴とする、請求項１又は２記載の上衣支持体。
【請求項４】
前記上衣の後身頃に対向する背面のうち少なくとも左右方向の中央部は、前記肩支持部及び前記胸部の双方に広がる平面として設けられる
ことを特徴とする、請求項１〜３のいずれか１項に記載の上衣支持体。
【請求項５】
請求項１〜４のいずれか１項に記載の上衣支持体に撮影対象の上衣を着せる着衣ステップと、
前記着衣ステップ後に、前記上衣支持体の背面を撮影用背景面に向けて前記上衣支持体を所定位置に配置する配置ステップと、
前記配置ステップ後に、前記上衣支持体に着せた前記上衣を撮影する撮影ステップと、を備えた
ことを特徴とする、撮影方法。
【発明の詳細な説明】
【技術分野】
【０００１】
本発明は、上衣の内側に配置されて上衣を支持する支持体、及び、これを用いた上衣の撮影方法に関する。
【背景技術】
【０００２】
Ｔシャツ，セーター，ジャケットといった上衣は、ハンガーに吊るした状態で陳列したり収納したりすることが多い。一般的なハンガーとしては、例えば、細い棒状の素材（針金，プラスチック等）を屈曲形成したものや、上衣の肩部を支持する部分が分厚く形成されたものなどが知られている。また、ハンガーのフックが付いた中央部分を反転させる構造を設け、衣服の着用時のイメージを取得しやすいようにした、特殊なハンガーも提案されている（例えば特許文献１）。
【０００３】
また、上衣を展示，販売，撮影する場合などでは、上衣をハンガーで吊るす代わりに、人の身体の形状を模したマネキンに着せることも多い（例えば特許文献２）。マネキンに上衣を着せることで、上衣に皺が生じにくくなり、例えば上衣の胸や背面に描かれている文字や柄が明快に表現され、意匠性の向上や広告宣伝効果の向上を図ることが可能となる。
【先行技術文献】
【特許文献】
【０００４】
【特許文献１】実用新案登録第３１４７０５９号公報
【特許文献２】特開２００８−４３４０８号公報
【発明の概要】
【発明が解決しようとする課題】
【０００５】
しかしながら、一般的なハンガーや特許文献１に記載のハンガーで上衣を吊るした場合には、上衣の前身頃と後身頃とが接触してしまい、正面から見たときに、上衣の胸の前や肩部から脇にかけた範囲に皺が生じてしまう。一方で、マネキンに上衣を着せた場合には、皺は生じにくくなるものの、人が上衣を着たときと同様の見栄えになることから、マネキンの形状や大きさ（人の体格）によって上衣の印象が変わってしまうという課題がある。
【０００６】
本件の上衣支持体は、このような課題に鑑み案出されたもので、上衣に不要な皺を発生させることなく、上衣の印象を変化させずに上衣を支持することを目的とする。また、本件の撮影方法は、本件の上衣支持体を用いることで上衣を綺麗に撮影することを目的とする。なお、これらの目的に限らず、後述する発明を実施するための形態に示す各構成により導かれる作用効果であって、従来の技術によっては得られない作用効果を奏することも本件の他の目的である。
【課題を解決するための手段】
【０００７】
（１）ここで開示する上衣支持体は、上衣の内側に配置されて前記上衣を広げた状態で支持する上衣支持体であって、前記上衣の左右の肩部をそれぞれ支持する肩支持部と、左右の前記肩支持部の下方において前記左右の肩支持部同士を連結するように左右方向に延在する面状の胸部と、を備える。各々の前記肩支持部は、前記上衣の袖山の内側に位置するとともに厚みが最大に形成された頂部を有する。
【０００８】
（２）前記胸部は、少なくとも左右方向の中央部の厚みが一定であるとともに前記中央部から左右の脇腹部に向かって厚みが増えるように形成され、前記各肩支持部及び前記胸部は、前記頂部に向かって厚みが徐々に増えるように形成されていることが好ましい。
【０００９】
（３）前記上衣支持体は、前記左右の肩支持部の間において前記胸部に向かって凹設された凹部を備えていることが好ましい。この場合、前記肩支持部の上面と前記凹部の内面とで形成される角部が鋭角であることが好ましい。
（４）前記上衣の後身頃に対向する背面のうち少なくとも左右方向の中央部は、前記肩支持部及び前記胸部の双方に広がる平面として設けられることが好ましい。
【００１０】
（５）ここで開示する撮影方法は、上記（１）〜（４）のいずれか一つに記載の上衣支持体に撮影対象の上衣を着せる着衣ステップと、前記着衣ステップ後に、前記上衣支持体の背面を撮影用背景面に向けて前記上衣支持体を所定位置に配置する配置ステップと、前記配置ステップ後に、前記上衣支持体に着せた前記上衣を撮影する撮影ステップと、を備える。
【発明の効果】
【００１１】
開示の上衣支持体によれば、上衣の前身頃と後身頃とが接触しないため、上衣の上胸の前や肩部から脇にかけた範囲に不要な皺が発生することがない。さらに、上衣を人が着用したような状態にならないため、上衣の印象を変化させずに上衣を支持することができる。
また、開示の撮影方法によれば、開示の上衣支持体を用いることで上衣を綺麗に撮影することができる。
【図面の簡単な説明】
【００１２】
【図１】実施形態に係る上衣支持体を示す模式的な正面図である。
【図２】図１の上衣支持体の背面図である。
【図３】図１の上衣支持体を説明するための四面図である。
【図４】図１の上衣支持体に上衣を着せた状態を示す正面図である。
【図５】実施形態に係る撮影方法を説明するフローチャートである。
【発明を実施するための形態】
【００１３】
図面を参照して、実施形態としての上衣支持体及び撮影方法について説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。以下の説明において、上衣支持体の方向（前後，左右，上下）は、上衣支持体に着せる上衣の向き（前後，左右，上下）に従う。
【００１４】
［１．構成］
図１は、本実施形態の上衣支持体１（以下「支持体１」という）を示す模式的な正面図である。図１中のドット模様の濃淡は、支持体１の厚みの大小に対応し、ドット模様が濃い部分ほど厚みが大きい部分であることを示している。また、図２は支持体１の背面図であり、図３は支持体１の四面図（上面図，正面図，下面図，側面図）であり、図４は支持体１に上衣９を着せた状態を示す正面図である。
【００１５】
図４に示すように、本実施形態の支持体１は、上衣９の内側に配置されて上衣９を広げた状態で支持するものである。支持体１で支持される上衣９としては、例えば、Ｔシャツ，ワイシャツ，セーター，ジャケット等が挙げられる。支持体１は、例えば、上衣９を撮影するためや上衣９を販売するため（すなわち商業目的で）使用される。なお、個人宅で上衣９を収納する際に支持体１を用いてもよい。
【００１６】
図１〜図４に示すように、支持体１は、部位によって異なる厚み（前後方向の寸法）に形成された一枚の板状部材からなる。本実施形態の支持体１は左右対称形状に形成されており、上衣９の左右の肩部をそれぞれ支持する肩支持部１１と、左右の肩支持部１１の下方に位置する面状の胸部１２とを備える。また、本実施形態の支持体１は、胸部１２の下方に連続して設けられた面状の腹部１３と、左右の肩支持部１１の間において胸部１２に向かって凹設された凹部１４とを備える。
【００１７】
肩支持部１１及び凹部１４は、支持体１の最上部に位置し、腹部１３は、支持体１の最下部に位置する。胸部１２は、肩支持部１１と腹部１３との間（支持体１の上下方向の中間）に位置し、左右の肩支持部１１同士を連結するように左右方向に延在する。図３に示すように、本実施形態の支持体１では、左右方向において厚みが一定の部位を腹部１３とし、左右方向の中央部分だけが一定の厚みに形成された部位を胸部１２とし、胸部１２よりも上部を肩支持部１１としている。なお、胸部１２の厚みが一定の中央部分を「中央部１２ａ」と呼ぶ。胸部１２の中央部１２ａ及び腹部１３は、支持体１の中で最も厚みが薄く形成される。
【００１８】
図３中の左右方向に延びる二点鎖線Ｘ，Ｙはそれぞれ、肩支持部１１と胸部１２との境界，胸部１２と腹部１３との境界を示す。また、図３中の上下方向に延びる二点鎖線Ｍ，Ｎはそれぞれ、厚みが最小部分から変化する境界を示す。つまり、胸部１２における二本の二点鎖線Ｍ，Ｎで挟まれた領域が、上記の中央部１２ａに対応する。本実施形態の胸部１２は、中央部１２ａから左右の脇腹部１２ｂに向かって厚みが増えるように形成されている。
【００１９】
図１〜図４に示すように、各肩支持部１１は、上衣９の袖山の内側に位置するとともに厚みが最大に形成された頂部１１ａを有する。頂部１１ａは、肩支持部１１の上面１１ｂと支持体１の側面１Ｃとで形成されるコーナー部分を含む。頂部１１ａの厚みは、例えば中央部１２ａの厚みの１．５倍〜２倍程度に設定される。なお、肩支持部１１の上面１１ｂは、上方に凸となる曲面状に形成され、正面視で左右方向中心から左右両側に向かって下降傾斜して設けられる。
【００２０】
また、支持体１の左右の側面１Ｃはそれぞれ、側方に向かって凸となる曲面状に形成され、正面視で下方に行くほど左右方向中央側に向かうように傾斜して設けられる。つまり、支持体１の胸部１２及び腹部１３は、正面視で、下方に行くほど幅（左右方向寸法）が小さくなるように形成されている。
【００２１】
本実施形態の各肩支持部１１及び胸部１２は、頂部１１ａに向かって厚みが徐々に増えるように形成されている。具体的には、図１に示すように、厚みが最薄の中央部１２ａ及び腹部１３（ドット模様なし）から、胸部１２の脇腹部１２ｂ側及び肩支持部１１側のそれぞれに向かって徐々に厚みが増し、頂部１１ａにおいて最も厚みが大きくなる。
【００２２】
凹部１４は、支持体１に上衣９を着せた状態で、上衣９の襟元から支持体１が露出することを抑制するための部位であり、下方に凸となる空間を形成する。凹部１４の形状や大きさは、様々なネック形状の上衣９に対応可能であり、且つ、支持体１に上衣９を着せたときに上衣９がずれ落ちない形状であることが好ましい。本実施形態の凹部１４は、正面視でＶ字状に形成されており、Ｖネック形状やＵネック形状の上衣９にも対応している。
【００２３】
また、本実施形態の支持体１では、肩支持部１１の上面１１ｂと凹部１４の内面１４ａとで形成される角部１５が鋭角に形成される。図３に示すように、本実施形態の凹部１４は、その内面１４ａが僅かに湾曲した凸形状となっていることから、角部１５が上方且つ左右方向中央側に向かって尖った形状となっている。なお、凹部１４の形状や大きさは、男性用の上衣９を着せる支持体１と女性用の上衣９を着せる支持体１とで異なるように設定されてよい。
【００２４】
本実施形態の支持体１は、図２及び図３に示すように、上衣９の後身頃に対向する背面１Ｂのうち少なくとも左右方向の中央部が、肩支持部１１及び胸部１２の双方に広がる平面として設けられる。本実施形態の背面１Ｂには、左右の肩支持部１１の上端に位置する角部１５から腹部１３にかけて上下方向に広がった平面部分と、平面部分の左右両側に前方へ湾曲した湾曲部分とが設けられる。
【００２５】
また、本実施形態の支持体１では、上衣９の前身頃に対向する前面１Ａのうち、胸部１２の中央部１２ａ及び腹部１３が平面状に形成され、その他の部分が曲面状に形成される。背面１Ｂの平面部分と前面１Ａの平面部分とでは、前者の面積の方が広く設定される。また、図３中の下面図に両矢印で示すように、前面１Ａは、頂部１１ａが最も前方に位置するように肩支持部１１全体が湾曲形成されている。これに伴い、背面１Ｂも肩支持部１１の左右側方部分が前方へ湾曲形成される。
【００２６】
図１〜図４に示すように、支持体１の下面１Ｄは平面状に形成される。この支持体１の下面１Ｄには、上下方向に延びる一対の脚部２が装着される。脚部２は、例えば長手方向に伸縮可能な構造を持ち、支持体１の高さ位置を適宜設定可能とする。なお、支持体１を所定位置に配置するための構成は一対の脚部２に限られない。例えば、一本又は三本以上の脚部２を支持体１の下面１Ｄ側に取り付けてもよいし、脚部２の代わりに、支持体１を上部から吊るすためのフックを取り付けてもよい。あるいは、支持体１の背面１Ｂに磁石を内蔵し、磁力を用いて背面１Ｂを所定の面（壁）に固定する構成としてもよい。少なくとも、支持体１を安定して所定位置に設置できる構成であればよい。
【００２７】
［２．撮影方法］
次に、上述した支持体１を用いて上衣９を撮影する場合の撮影方法について、図５を用いて説明する。ステップＳ１では、支持体１に撮影対象の上衣９を着せる（着衣ステップ）。続くステップＳ２では、支持体１の背面１Ｂを撮影用背景面（図示略）に向けて支持体１を所定位置に配置する（配置ステップ）。この配置ステップＳ２では、支持体１の高さ位置も設定される。なお、支持体１の背面１Ｂが撮影用背景面に面接触するように配置してもよい。
【００２８】
そして、ステップＳ３では、支持体１に着せた上衣９を撮影する（撮影ステップ）。この一連の処理（Ｓ１〜Ｓ３）は、撮影対象である上衣９の枚数と同じ回数だけ繰り返される。なお、上衣９の襟元や裾から支持体１や脚部２が露出している場合には、撮影画像を編集することでこれらを削除することが好ましい。
【００２９】
［３．効果］
（１）上述した支持体１によれば、上衣９の前身頃と後身頃とが接触しないため、図４に示すように、上衣９の胸の前や肩部から脇にかけた範囲に不要な皺が発生することがない。これにより、上衣９の胸の前のディテールを綺麗に見せることができる。さらに、支持体１を用いることで、まるで上衣９をハンガーで吊るしているかのように表現できることから、マネキンを用いる場合と比較して、体格に左右されない表現が可能となる。すなわち、上述した支持体１によれば、上衣９を人が着用したような状態にはならないため、上衣９の印象を変化させずに上衣９を支持することができる。
【００３０】
（２）上述した支持体１では、胸部１２の厚みが、中央部１２ａにおいて一定とされるとともに左右の脇腹部１２ｂに向かって増大形成される。さらに、左右の肩支持部１１及び胸部１２が、頂部１１ａに向かって徐々に分厚くなるように形成される。このような形状に形成された支持体１によれば、上衣９の肩部を張った状態にできるとともに脇の下方を内側から支持できるため、不要な皺の発生をより防ぐことができ、一層綺麗に上衣９を表現することができる。
【００３１】
（３）上述した支持体１によれば、左右の肩支持部１１の間に形成された凹部１４によって上衣９の襟元から支持体１が露出することを抑制できる。また、凹部１４によって上衣９の襟元のタグを見せることができるため、商品のアピールをすることができる。さらに、この凹部１４の内面１４ａと肩支持部１１の上面１１ｂとで形成される角部１５が鋭角であることから、上衣９が支持体１から脱落しにくくすることができ、上衣９をより綺麗に表現することができる。
【００３２】
（４）上述した支持体１は、その背面１Ｂの左右方向中央部が平面状に形成されているため、例えば上衣９を着せた状態で撮影する場合には、支持体１の背面１Ｂを撮影用の背景面に接触させることで、上衣９（支持体１）の位置を安定させることができる。また、上衣９を着せた状態で店舗に展示する場合には、壁面に接触させて配置することで、その位置を安定させることができる。このように、平面状の背面１Ｂを利用して、上衣９をより綺麗に表現することができる。
【００３３】
（５）上述した支持体１を用いた撮影方法によれば、支持体１に上衣９を着せることで、上衣９の前身頃と後身頃とが接触しないため、上衣９の胸の前や肩部から脇にかけた範囲に不要な皺が発生することがない。これにより、上衣９の胸の前のディテールを綺麗に撮影できる。さらに、支持体１を用いることで、まるで上衣９をハンガーで吊るしているかのように表現できることから、マネキンを用いる場合と比較して、体格に左右されない表現が可能となる。すなわち、上述した撮影方法によれば、上衣９を人が着用したような状態にはならないため、上衣９の印象を変化させずに上衣９を支持して撮影することができる。なお、支持体１を、その背面１Ｂが撮影用背景面に接触するように配置すれば、支持体１の向きを正確に正面に向けることができる。
【００３４】
［４．その他］
上述した支持体１の構成は一例であって、上述したものに限られない。上述した支持体１には腹部１３及び凹部１４が設けられているが、支持体１には少なくとも肩支持部１１及び胸部１２が設けられていればよい。また、上述した支持体１では、側面１Ｃが曲面状で下面１Ｄが平面状に形成されているが、側面１Ｃが平面状であってもよいし、下面１Ｄが曲面状であってもよい。
【００３５】
また、上述した支持体１の背面１Ｂには、左右の肩支持部１１の上端に位置する角部１５から腹部１３にかけて上下方向に広がった平面部分が設けられているが、平面部分の面積がこれより小さくてもよく、例えば胸部１２のみが平面状であってもよい。また、前面１Ａの平面部分の面積やその位置も上述したものに限られない。少なくとも、支持体１の左右の肩支持部１１に、厚みが最大の頂部１１ａが設けられていればよく、肩支持部１１，胸部１２，腹部１３の厚み設定は上述したものでなくてもよく、前面１Ａ，背面１Ｂの形状も限られない。
【００３６】
上述した支持体１のサイズは適宜設定可能である。例えば、サイズの異なる二種類の上衣支持体を用意し、大きい一方をメンズ用として使用し、小さい他方をレディース用として使用してもよい。この場合、レディース用の上衣支持体の肩幅は、メンズ用の上衣支持体の肩幅よりも小さいことが好ましい。また、メンズ用とレディース用とで凹部１４の大きさや形状を変更してもよい。なお、サイズの異なる複数種類の上衣支持体を用意して、大人用として使用したり子供用として使用したりしてもよい。
【符号の説明】
【００３７】
１  支持体（上衣支持体）
１Ａ  前面
１Ｂ  背面
１Ｃ  側面
１Ｄ  下面
２  脚部
９  上衣
１１  肩部
１１ａ  頂部
１１ｂ  上面
１２  胸部
１２ａ  中央部
１２ｂ  脇腹部
１３  腹部
１４  凹部
１４ａ  内面
１５  角部
【図１】
2020168198.tif 000003
【図２】
2020168198.tif 000004
【図３】
2020168198.tif 000005
【図４】
2020168198.tif 000006
【図５】
2020168198.tif 000007
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
上衣の内側に配置されて前記上衣を広げた状態で支持する上衣支持体であって、
前記上衣の左右の肩部をそれぞれ支持する肩支持部と、
左右の前記肩支持部の下方において前記左右の肩支持部同士を連結するように左右方向に延在する面状の胸部と、を備え、
各々の前記肩支持部は、前記上衣の袖山の内側に位置するとともに厚みが最大に形成された頂部を有し、
前記胸部は、少なくとも左右方向の中央部の厚みが一定であるとともに前記中央部から左右の脇腹部に向かって厚みが増えるように形成され、
前記各肩支持部及び前記胸部は、前記頂部に向かって厚みが徐々に増えるように形成されている
ことを特徴とする、上衣支持体。
【請求項２】
前記左右の肩支持部の間において前記胸部に向かって凹設された凹部を備え、
前記肩支持部の上面と前記凹部の内面とで形成される角部が鋭角である
ことを特徴とする、請求項１記載の上衣支持体。
【請求項３】
前記上衣の後身頃に対向する背面のうち少なくとも左右方向の中央部は、前記肩支持部及び前記胸部の双方に広がる平面として設けられる
ことを特徴とする、請求項１又は２記載の上衣支持体。
【請求項４】
請求項１〜３のいずれか１項に記載の上衣支持体に撮影対象の上衣を着せる着衣ステップと、
前記着衣ステップ後に、前記上衣支持体の背面を撮影用背景面に向けて前記上衣支持体を所定位置に配置する配置ステップと、
前記配置ステップ後に、前記上衣支持体に着せた前記上衣を撮影する撮影ステップと、を備えた
ことを特徴とする、撮影方法。
【手続補正２】
【補正対象書類名】明細書
【補正対象項目名】０００７
【補正方法】変更
【補正の内容】
【０００７】
（１）ここで開示する上衣支持体は、上衣の内側に配置されて前記上衣を広げた状態で支持する上衣支持体であって、前記上衣の左右の肩部をそれぞれ支持する肩支持部と、左右の前記肩支持部の下方において前記左右の肩支持部同士を連結するように左右方向に延在する面状の胸部と、を備える。各々の前記肩支持部は、前記上衣の袖山の内側に位置するとともに厚みが最大に形成された頂部を有し、前記胸部は、少なくとも左右方向の中央部の厚みが一定であるとともに前記中央部から左右の脇腹部に向かって厚みが増えるように形成され、前記各肩支持部及び前記胸部は、前記頂部に向かって厚みが徐々に増えるように形成されている。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
（２）前記上衣支持体は、前記左右の肩支持部の間において前記胸部に向かって凹設された凹部を備えていることが好ましい。この場合、前記肩支持部の上面と前記凹部の内面とで形成される角部が鋭角であることが好ましい。
（３）前記上衣の後身頃に対向する背面のうち少なくとも左右方向の中央部は、前記肩支持部及び前記胸部の双方に広がる平面として設けられることが好ましい。
【手続補正５】
【補正対象書類名】明細書
【補正対象項目名】００１０
【補正方法】変更
【補正の内容】
【００１０】
（４）ここで開示する撮影方法は、上記（１）〜（３）のいずれか一つに記載の上衣支持体に撮影対象の上衣を着せる着衣ステップと、前記着衣ステップ後に、前記上衣支持体の背面を撮影用背景面に向けて前記上衣支持体を所定位置に配置する配置ステップと、前記配置ステップ後に、前記上衣支持体に着せた前記上衣を撮影する撮影ステップと、を備える。